(57)【特許請求の範囲】
【請求項１】
表示パネルの垂直走査方向に沿って並設された複数のバックライト光源を有するバックライト装置を駆動するバックライト駆動装置であって、
前記複数のバックライト光源のうち、前記表示パネルの第１の表示領域に対応する複数のバックライト光源の各々を、前記表示パネルにおいて当該バックライト光源に対応する画素行が走査される期間に同期させて、順次発光させる発光制御手段を備え、
前記発光制御手段は、
前記複数のバックライト光源のうち、前記第１の表示領域とは前記垂直走査方向の位置が異なる第２の表示領域に対応する複数のバックライト光源の各々を、常時発光させ、
前記表示パネルに表示される映像のフレーム周波数が低くなるにつれ、前記第２の表示領域の面積を拡大する
ことを特徴とするバックライト駆動装置。
【請求項２】
表示パネルの垂直走査方向に沿って並設された複数のバックライト光源を有するバックライト装置を駆動するバックライト駆動装置であって、
前記複数のバックライト光源のうち、前記表示パネルの第１の表示領域に対応する複数のバックライト光源の各々を、前記表示パネルにおいて当該バックライト光源に対応する画素行が走査される期間に同期させて、順次発光させる発光制御手段を備え、
前記発光制御手段は、
前記複数のバックライト光源のうち、前記第１の表示領域とは前記垂直走査方向の位置が異なる第２の表示領域に対応する複数のバックライト光源の各々を、常時発光させ、
前記第１の表示領域および前記第２の表示領域の少なくともいずれか一方は、ユーザによって指定された表示領域である
ことを特徴とするバックライト駆動装置。
【請求項３】
前記第１の表示領域は、
前記表示パネルの上部表示領域および前記表示パネルの下部表示領域であり、
前記第２の表示領域は、
前記表示パネルの中央部表示領域である
ことを特徴とする請求項１または２に記載のバックライト駆動装置。
【請求項４】
前記表示パネルにおいては、前記垂直走査方向に沿って、前記第１の表示領域および前記第２の表示領域が、交互に設けられている
ことを特徴とする請求項１または２に記載のバックライト駆動装置。
【請求項５】
前記第１の表示領域は、表示ボケが生じ易い映像として判別された映像が表示される表示領域である
ことを特徴とする請求項１または２に記載のバックライト駆動装置。
【請求項６】
前記発光制御手段は、
前記複数のバックライト光源のうち、前記第２の表示領域に対応する複数のバックライト光源の各々を、６０Ｈｚ以上の周波数で、間欠的に発光させる
ことを特徴とする請求項１から５のいずれか一項に記載のバックライト駆動装置。
【請求項７】
前記発光制御手段は、
前記第１の表示領域に対応するバックライト光源の発光量と、前記第２の表示領域に対応するバックライト光源の発光量とを、それぞれ個別に制御可能である
ことを特徴とする請求項１から６のいずれか一項に記載のバックライト駆動装置。
【請求項８】
複数の画素を有する表示パネルと、
前記表示パネルの垂直走査方向に対応する方向に並設された複数のバックライト光源を有するバックライト装置と、
請求項１から７のいずれか一項に記載のバックライト駆動装置と
を備えたことを特徴とする表示装置。
【請求項９】
前記複数の画素の各々が有するスイッチング素子の半導体層には、酸化物半導体が用いられていることを特徴とする請求項８に記載の表示装置。
【請求項１０】
前記酸化物半導体は、ＩｎＧａＺｎＯｘであることを特徴とする請求項９に記載の表示装置。
【発明の詳細な説明】
【技術分野】
【０００１】
本発明は、バックライト駆動装置および表示装置に関する。
【背景技術】
【０００２】
近年、電子書籍端末、スマートフォン、携帯電話、ＰＤＡ（携帯型情報端末）、タブレット端末、ラップトップ型パーソナルコンピュータ、携帯ゲーム機、カーナビゲーション装置等の各種情報端末においては、液晶表示装置等の比較的薄型の表示装置が多く利用されている。このような表示装置においては、消費電力を低下させることや、表示画質を向上させることが共通の課題となっている。そこで、従来、表示装置に関し、このような課題を解決することを目的とした様々な技術が考案されている。
【０００３】
例えば、一般的な液晶表示装置においては、バックライトを常時点灯させる方式が採用されている。このような液晶表示装置においては、液晶応答時間の遅延により、特に動きの速い動画を表示した際に、過去のフレーム画像の残像および液晶素子の応答途中の画像によって、いわゆる表示ボケが生じてしまうといった問題がある。
【０００４】
そこで、このような問題を解決するための技術として、下記引用文献１には、バックライト光源を複数の発光領域に分割し、水平ライン群における画像の書込走査が完了する毎に、その水平ライン群に対応する発光領域を点灯させることにより、複数の発光領域を１フレーム期間内で順次スキャン点灯させる技術が開示されている。この技術によれば、上記したような表示ボケを防止することができるとされている。
【先行技術文献】
【特許文献】
【０００５】
【特許文献１】国際公開第２００４／０５３８２６号（公開日：２００４年６月２４日）
【発明の概要】
【発明が解決しようとする課題】
【０００６】
しかしながら、上記特許文献１に開示されている技術では、各発光領域の点灯周期は、表示パネルのフレーム周波数に同期するために、フレーム周波数が低くなるほど、各発光領域は、より低速で間欠点灯（点滅）することとなるため、表示パネルのちらつきが視認され易くなる。すなわち、上記特許文献１に開示されている技術では、表示パネルにおける表示ボケの発生を抑制することができたとしても、これとともに、表示パネルにおけるちらつきの発生を抑制することができない。
【０００７】
本発明は、前記の問題に鑑みてなされたものであり、その目的は、表示パネルにおける表示ボケを抑制しつつ、表示パネルにおけるちらつきを抑制することにある。
【課題を解決するための手段】
【０００８】
上述した課題を解決するため、本発明に係るバックライト駆動装置は、表示パネルの垂直走査方向に沿って並設された複数のバックライト光源を有するバックライト装置を駆動するバックライト駆動装置であって、前記複数のバックライト光源のうち、前記表示パネルの第１の表示領域に対応する複数のバックライト光源の各々を、前記表示パネルにおいて当該バックライト光源に対応する画素行が走査される期間に同期させて、順次発光させる発光制御手段を備えることを特徴とする。
【０００９】
上記バックライト駆動装置によれば、複数のバックライト光源の各々を、対応する画素行の走査期間に同期させて順次点灯させることにより、過去のフレーム画像の残像および液晶素子の応答途中の画像が視認され難くなるため、表示ボケを防止することができる。
【００１０】
特に、表示パネルの一部の表示領域である第１の表示領域に対して、このようなバックライト光源の制御を行っているため、ちらつきが生じ易い表示領域の面積を最小限とし、表示パネルのちらつきを視認され難くすることができる。したがって、上記バックライト駆動装置によれば、表示パネルにおける表示ボケを抑制しつつ、表示パネルにおけるちらつきを抑制することができる。
【００１１】
上記駆動装置において、前記発光制御手段は、前記複数のバックライト光源のうち、前記第１の表示領域とは前記垂直走査方向の位置が異なる第２の表示領域に対応する複数のバックライト光源の各々を、常時発光させることが好ましい。
【００１２】
この構成によれば、他の表示領域については、バックライト光源を常時点灯させることにより、ちらつきが生じないため、表示パネルのちらつきをより視認され難くすることができる。
【００１３】
上記駆動装置において、前記第１の表示領域は、前記表示パネルの上部表示領域および前記表示パネルの下部表示領域であり、前記第２の表示領域は、前記表示パネルの中央部表示領域であることが好ましい。
【００１４】
この構成によれば、ユーザによって視認されやすい表示領域である、表示パネルの中央表示領域に対応するバックライト光源を常時点灯させるため、表示パネルのちらつきをより視認され難くすることができる。
【００１５】
上記駆動装置において、前記表示パネルにおいては、前記第１の表示領域および前記第２の表示領域が、交互に設けられていることが好ましい。
【００１６】
この構成によれば、ちらつきが生じ易くなる第１の表示領域と、表示ボケが生じ易くなる第２の表示領域とを交互に配置したことにより、表示ボケおよびちらつきを表示パネルの全面に分散し、表示ボケおよびちらつきを視認され難くすることができる。
【００１７】
上記駆動装置において、前記第１の表示領域は、表示ボケが生じ易い映像として判別された映像が表示される表示領域であることが好ましい。
【００１８】
この構成によれば、表示ボケが生じ難いがちらつきが生じ易くなる第１の表示領域を適切且つ最小限に設定することができる。したがって、表示ボケをより適切に抑制しつつ、表示パネルのちらつきをより視認され難くすることができる。
【００１９】
上記駆動装置において、前記発光制御手段は、前記表示パネルに表示される映像のフレーム周波数が低くなるにつれ、前記第２の表示領域の面積を拡大することが好ましい。
【００２０】
この構成によれば、上記フレーム周波数が低くなることによって、第１の表示領域におけるちらつきが視認され易くなったとしても、この第１の表示領域の面積が相対的に縮小されるため、このちらつきを視認され難くすることができる。
【００２１】
上記駆動装置において、前記第１の表示領域および前記第２の表示領域の少なくともいずれか一方は、ユーザによって指定された表示領域であることが好ましい。
【００２２】
この構成によれば、表示ボケを抑制すべき第１の表示領域、およびちらつきを抑制すべき第２の表示領域を適切に設定することができる。
【００２３】
上記駆動装置において、前記発光制御手段は、前記複数のバックライト光源のうち、前記第２の表示領域に対応する複数のバックライト光源の各々を、６０Ｈｚ以上の周波数で、間欠的に発光させることが好ましい。
【００２４】
この構成によれば、第２の表示領域についても、対応するバックライト光源を点滅させることにより、表示ボケを抑制することができる。これにより、表示パネルの表示ボケの抑制効果をより高めることができる。特に、６０Ｈｚ以上の周波数でバックライト光源を点滅させることにより、このバックライト光源のちらつきを抑制することができる。
【００２５】
上記駆動装置において、前記発光制御手段は、前記第１の表示領域に対応するバックライト光源の発光量と、前記第２の表示領域に対応するバックライト光源の発光量とを、それぞれ個別に制御可能であることが好ましい。
【００２６】
この構成によれば、上記駆動装置と同様の効果（表示ボケ抑制効果、ちらつき防止効果等）を奏することを可能としつつ、表示パネルの明るさを柔軟に制御することができる。例えば、表示パネルの明るさを均一にすることにより、表示パネルの輝度ムラを抑制することもできる。
【００２７】
また、本発明に係る表示装置は、複数の画素を有する表示パネルと、前記表示パネルの垂直走査方向に対応する方向に並設された複数のバックライト光源を有するバックライト装置と、上記バックライト駆動装置とを備えたことを特徴とする。
【００２８】
この表示装置によれば、上記バックライト駆動装置と同様の効果を奏することができる。
【００２９】
上記表示装置において、前記複数の画素の各々が有するスイッチング素子の半導体層には、酸化物半導体が用いられていることが好ましい。特に、上記表示装置において、上記酸化物半導体は、ＩＧＺＯであることが好ましい。
【００３０】
この構成によれば、各画素のＯＮ特性およびＯＦＦ特性が非常に優れたものとなり、リフレッシュレートの大幅な増減が容易に可能となるため、表示ボケやちらつきが生じ易くなり、よって、この表示ボケやちらつきを抑制する必要性が高くなる。このため、本発明は、このような表示装置へ適用することで、より高い効果を奏することが可能となる。
【発明の効果】
【００３１】
本発明によれば、表示パネルにおける表示ボケを抑制しつつ、表示パネルにおけるちらつきを抑制することができる。
【図面の簡単な説明】
【００３２】
【図１】実施形態１に係るテレビの概略構成を示すブロック図である。
【図２】実施形態１に係るテレビが備えるバックライトユニットの構成を示す。
【図３】実施形態１に係るテレビにおける、バックライト光源の発光タイミングを示すタイミングチャートである。
【図４】実施形態１に係るテレビにおける、映像信号のフレーム周波数と、中央部表示領域の面積との関係を示す。
【図５】実施形態２に係るテレビの概略構成を示すブロック図である。
【図６】実施形態３に係るテレビの表示パネルにおける、各種表示領域の配置を示す。
【図７】実施形態３に係るテレビにおける、バックライト光源の発光タイミングを示すタイミングチャートである。
【図８】実施形態４に係るテレビの表示パネルにおける、各種表示領域の配置を示す。
【図９】実施形態４に係るテレビにおける、バックライト光源の発光タイミングを示すタイミングチャートである。
【図１０】実施形態５に係るテレビの概略構成を示すブロック図である。
【図１１】実施形態６に係るテレビにおける、バックライト光源の発光タイミングを示すタイミングチャートである。
【図１２】実施形態７に係るテレビにおける、各表示領域の発光量および供給電流を示す。
【図１３】実施形態７に係るテレビにおける、各表示領域の発光量および発光素子数を示す。
【図１４】酸化物半導体を用いたＴＦＴを含む、各種ＴＦＴの特性を示す図である。
【発明を実施するための形態】
【００３３】
（実施形態１）
本発明に係る実施形態について、図面を参照して以下に説明する。まず、本発明に係る実施形態１について説明する。この実施形態１では、表示装置としての機能を有するテレビジョン受像機に本発明を適用する例を説明する。
【００３４】
（テレビの構成）
はじめに、図１を参照して、実施形態１に係るテレビ１００の構成について説明する。図１は、実施形態１に係るテレビ１００の概略構成を示すブロック図である。
【００３５】
図１に示すテレビ１００は、いわゆるテレビジョン受像機である。例えば、テレビ１００は、地上デジタル放送、ＢＳデジタル放送、ＣＳデジタル放送等のテレビ放送波を受信することが可能である。そして、テレビ１００は、受信したテレビ放送波に含まれている番組コンテンツを再生することによって、この番組コンテンツをユーザに視聴させることが可能である。
【００３６】
図１に示すように、テレビ１００は、表示パネル１０２、バックライトユニット１０４、ディスプレイ駆動回路１１０、映像処理回路１２０、チューナ１０６、およびＨＤＭＩインタフェース１０８を備えている。
【００３７】
（表示パネル）
表示パネル１０２は、テレビ１００において再生された番組コンテンツ等、各種映像を表示する。この表示パネル１０２には、いわゆるアクティブマトリクス型の液晶表示パネルが採用されている。すなわち、表示パネル１０２は、複数のＴＦＴ液晶画素、複数のゲート信号ライン、および複数のソース信号ラインを備えて構成されている。
【００３８】
複数のＴＦＴ液晶画素は、複数の画素列および複数の画素行からなる、いわゆる格子状に配設されている。ゲート信号ラインは、画素行毎に設けられている。各ゲート信号ラインは、対応する画素行の各ＴＦＴ液晶画素と電気的に接続されており、これら各ＴＦＴ液晶画素に対して、走査線駆動回路１１４から送出されたゲート信号を供給するために設けられている。ソース信号ラインは、画素列毎に設けられている。各ソース信号ラインは、対応する画素列の各ＴＦＴ液晶画素と電気的に接続されており、これら各ＴＦＴ液晶画素に対して、信号線駆動回路１１６から送出されたソース信号を供給するために設けられている。
【００３９】
本実施形態では、先頭からｎ番目の画素行を、画素行（ｎ）と表現する。例えば、先頭の画素行を、画素行（１）と表現し、先頭から２番目の画素行を、画素行（２）と表現する。また、画素行（ｎ）を駆動するためのゲート信号ライン（すなわち、先頭からｎ番目のゲート信号ライン）を、ゲート信号ライン（ｎ）と表現する。例えば、画素行（１）を駆動するためのゲート信号ラインを、ゲート信号ライン（１）と表現し、画素行（２）を駆動するためのゲート信号ラインを、ゲート信号ライン（２）と表現する。
【００４０】
（バックライトユニット）
バックライトユニット１０４は、表示パネル１０２の裏側に設けられている。バックライトユニット１０４は、表示パネル１０２に対して、その裏側からバックライト光を照射する。表示パネル１０２においては、ディスプレイ駆動回路１１０の制御により、ＴＦＴ液晶画素毎に、映像信号に応じて上記バックライト光の透過量が調整される。これにより、表示パネル１０２には、映像信号に応じた映像が表示されることとなる。
【００４１】
（ディスプレイ駆動回路）
ディスプレイ駆動回路１１０は、入力された映像信号に応じて表示パネル１０２およびバックライトユニット１０４を駆動することにより、この映像信号に応じた映像を表示パネル１０２に表示させる。上述したように、本実施形態では、表示パネル１０２として、アクティブマトリクス型の液晶表示パネルを採用している。これに応じて、ディスプレイ駆動回路１１０は、図１に示すように、ディスプレイ駆動回路１１０は、タイミングコントローラ１１２、走査線駆動回路１１４、信号線駆動回路１１６、およびバックライト駆動回路１１８を備えている。
【００４２】
（タイミングコントローラ）
タイミングコントローラ１１２には、映像処理回路１２０から映像信号が入力される。例えば、映像信号には、クロック信号、同期信号、画像データ信号等が含まれる。そして、タイミングコントローラ１１２は、この映像信号に従って、各駆動回路（走査線駆動回路１１４、信号線駆動回路１１６、およびバックライト駆動回路１１８）を同期して動作させ、かつ、映像信号に応じた映像を表示パネル１０２に表示させるための各種制御信号を、上記各駆動回路に対して出力する。
【００４３】
（走査線駆動回路）
走査線駆動回路１１４は、複数のゲート信号ラインを順次選択して走査する。具体的には、走査線駆動回路１１４は、複数のゲート信号ラインを１本ずつ順次選択し、選択したゲート信号ラインに対して、ＯＮ電圧を印加する（すなわち、ゲート信号を供給する）。これにより、当該ゲート信号ライン上の各ＴＦＴ液晶画素において、スイッチング素子（ＴＦＴ）がＯＮに切り替えられる。
【００４４】
（信号線駆動回路）
信号線駆動回路１１６は、ゲート信号ラインが選択されている間、そのゲート信号ライン上の各ＴＦＴ液晶画素に対して、対応するソース信号ラインから、画像データに応じたソース信号を供給する。具体的には、信号線駆動回路１１６は、入力された映像信号に基づいて、選択されたゲート信号ライン上の各ＴＦＴ液晶画素に出力すべき電圧の値を算出し、その値の電圧をソース出力アンプ（図示を省略する）から各ソース信号ラインに向けて出力する。この結果、選択されたゲート信号ライン上の各ＴＦＴ液晶画素に対してソース信号が供給され、このソース信号が書き込まれることとなる。
【００４５】
（バックライト駆動回路）
バックライト駆動回路１１８は、バックライトユニット１０４を駆動することにより、バックライトユニット１０４を発光させる。バックライト駆動回路１１８は、発光制御部１１９を備える。発光制御部１１９は、バックライトユニット１０４の発光タイミングを制御する。詳細については後述するが、例えば、発光制御部１１９は、バックライトユニット１０４が備える複数のバックライト光源２０２の各々の発光タイミングを制御することが可能である。
【００４６】
（映像処理回路）
映像処理回路１２０は、チューナ１０６およびＨＤＭＩインタフェース１０８から供給された映像信号を受信する。例えば、チューナ１０６からは、放送局から放送された映像コンテンツの映像信号を受信する。また、ＨＤＭＩインタフェース１０８からは、外部機器（図示を省略する）によって再生された映像コンテンツの映像信号を受信する。
【００４７】
そして、映像処理回路１２０は、受信した映像信号から、ディスプレイ駆動回路１１０へ供給するための映像信号（すなわち、クロック信号、同期信号、画像データ信号等が含まれる映像信号）を生成し、生成した映像信号をディスプレイ駆動回路１１０へ出力する。
【００４８】
映像処理回路１２０は、映像判別部１２２を備えている。映像判別部１２２は、映像信号における各種特徴点を判別する。例えば、映像判別部１２２は、映像信号のフレーム周波数を判別する。映像処理回路１２０によって判別された各種特徴点は、タイミングコントローラ１１２を介して、バックライト駆動回路１１８へ通知される。
【００４９】
なお、映像処理回路１２０への映像信号の入力系統は、チューナ１０６およびＨＤＭＩインタフェース１０８からに限らない。例えば、ＨＤＭＩインタフェースとは異なる外部機器インタフェースや、通信インタフェース、ＨＤＤに記録された映像コンテンツを再生する再生部等から、映像信号が入力されてもよい。
【００５０】
（バックライトユニットの構成）
次に、図２を参照して、バックライトユニット１０４の構成について説明する。図２は、実施形態１に係るテレビ１００が備えるバックライトユニット１０４の構成を示す。さらに、図２は、バックライトユニット１０４の前面側に、表示パネル１０２が重ねて設けられている様子を概念的に示す。
【００５１】
ここでは、説明を分かり易くするために、１８行の画素行が設けられた表示パネル１０２、および９つのバックライト光源２０２が設けられたバックライトユニット１０４を図示している。実際には、より多くのゲート信号ラインおよびより多くのバックライト光源が設けられ得る。
【００５２】
バックライトユニット１０４は、複数のバックライト光源２０２（バックライト光源２０２Ａ〜Ｆ）を有する。各バックライト光源２０２は、横方向（表示パネル１０２の画素行方向に対応する方向）を長手方向とし、縦方向（表示パネル１０２の画素列方向に対応する方向）を短手方向とする、細長い長方形状を有している。これら複数のバックライト光源２０２は、縦方向に並べて設けられている。これにより、バックライトユニット１０４は、表示パネル２の表示領域の略全域に対して、バックライト光を照射することが可能となっている。
【００５３】
各バックライト光源２０２は、ＬＥＤ（Light Emitting Diode：発光ダイオード）やＣＣＦＬ（Cold Cathode Fluorescent Lamp：冷陰極蛍光ランプ）等の発光体を備えて構成される。例えば、この発光体にＬＥＤが用いられる場合、各バックライト光源２０２は、基板上に配列された複数のＬＥＤを備えて構成される。また、各バックライト光源２０２に薄型のものが用いられる場合には、上記発光体から発せられた光を均一に表示パネル１０２へ照射するための導光板が設けられるとともに、上記発光体が、上記導光板のいずれかの側部に設けられる場合がある。
【００５４】
各バックライト光源２０２は、テレビ１００が備える電源回路（図示を省略する）から供給された電力を利用して発光する。各バックライト光源２０２が発光するタイミングは、バックライト駆動回路１１８の発光制御部１１９によって制御される。各バックライト光源２０２は、発光制御部１１９の制御により、単独で発光することが可能となっている。
【００５５】
（バックライト駆動回路による発光制御）
このように構成されたバックライトユニット１０４に対し、バックライト駆動回路１１８の発光制御部１１９は、複数のバックライト光源２０２の各々の発光タイミングを制御することが可能である。すなわち、発光制御部１１９は、任意のバックライト光源２０２を、単独で発光させることができる。
【００５６】
もちろん、発光制御部１１９は、任意の複数のバックライト光源２０２を、他のバックライト光源２０２から独立して、発光させることができるし、全てのバックライト光源２０２を、同時に発光させることもできる。
【００５７】
特に、発光制御部１１９は、特定のバックライト光源２０２を、対応する画素行が走査されるタイミングに同期させて、発光させることが可能である。“バックライト光源２０２に対応する画素行”とは、そのバックライト光源２０２からのバックライト光が照射され得る画素行を意味しており、大概、そのバックライト光源２０２が裏側に設けられている画素行を意味する。
【００５８】
画素行が走査されるタイミングは、タイミングコントローラ１１２から供給される水平同期信号によって決定される。したがって、例えば、発光制御部１１９は、この水平同期信号に基づいて、画素行が走査されるタイミングと、その画素行に対応するバックライト光源２０２を発光させるタイミングとを、同期させることができる。
【００５９】
このために、テレビ１００は、各バックライト光源２０２に対し、いくつかの画素行を予め対応付けておく。そして、テレビ１００は、この対応付けを示す情報を、当該テレビ１００が備えるメモリ等に予め格納しておく。発光制御部１１９は、上記情報を参照することにより、各画素行に対応するバックライト光源２０２を特定することができる。
【００６０】
（バックライト光源の発光タイミングの制御例）
以下、図３を参照して、実施形態１に係るテレビ１００における、バックライト光源２０２の発光タイミングを説明する。図３は、実施形態１に係るテレビ１００における、バックライト光源２０２の発光タイミングを示すタイミングチャートである。
【００６１】
図３は、１フレーム期間における、各ゲート信号ラインの駆動タイミング、および、各バックライト光源２０２の発光タイミングを、駆動パルスのパルス波形で示すものである。
【００６２】
図３において、Ｖｓｙｎｃは、フレーム期間毎に発生する垂直同期信号を示す。すなわち、Ｖｓｙｎｃは、１フレーム期間の間、その値がＯＮ（Ｈｉレベル）となる。
【００６３】
また、Ｖｇ（１）〜（１８）は、ゲート信号ライン（１）〜（１８）の駆動パルスを示す。すなわち、Ｖｇ（１）〜（１８）の各々は、その値がＯＮ（Ｈｉレベル）となることにより、対応するゲート信号ラインが走査されることとなる。
【００６４】
また、Ｖｌ（１）〜（９）は、バックライト光源２０２Ａ〜Ｉ（図２参照）の駆動パルスを示す。すなわち、Ｖｌ（１）〜（９）の各々は、その値がＯＮ（Ｈｉレベル）となることにより、対応するバックライト光源２０２が駆動されることとなる。
【００６５】
図３のＶｇ（１）〜Ｖｇ（１８）が示すように、１フレーム期間においては、ゲート信号ライン（１）〜（１８）が、順次１本ずつ走査される。
【００６６】
これに対し、複数のバックライト光源２０２は、１フレーム期間において、以下のように駆動される。
【００６７】
（１．バックライト光源と画素行との対応付け）
上述したとおり、テレビ１００は、予め、各バックライト光源２０２に対し、いくつかの画素行を対応付けておく。本実施形態では、バックライト光源２０２が９つ設けられているのに対し、表示パネル１０２には、画素行が１８行設けられている。これに応じて、テレビ１００は、各バックライト光源２０２に対し、２つの画素行を対応付ける。例えば、バックライト光源２０２Ａには、画素行（１）および画素行（２）を対応付け、バックライト光源２０２Ａには、画素行（３）および画素行（４）を対応付ける、といった具合である。
【００６８】
本実施形態では、各バックライト光源２０２の縦方向のサイズが同一であるために、各バックライト光源２０２に対応付ける画素行の数を同一としているが、各バックライト光源２０２のサイズや照射範囲が互いに異なる場合は、各バックライト光源２０２に対応付ける画素行の数を異ならせてもよい。
【００６９】
（２．バックライト光源の分類）
発光制御部１１９は、予め、複数のバックライト光源２０２を、スキャン点灯させるバックライト光源２０２と、常時点灯させるバックライト光源２０２とに分類する。
【００７０】
例えば、図２に示す例では、表示パネル１０２の表示領域は、上部表示領域、中央部表示領域、および下部表示領域を含んで構成されている。
【００７１】
上記中央部表示領域は、テレビ１００において、バックライト光源２０２の発光タイミングを制御するにあたり、表示ボケ防止よりもちらつき防止を優先するために、対応するバックライト光源２０２を、スキャン点灯させない（すなわち、常時点灯させる）表示領域である。このような表示領域を、以下、「常時点灯領域」と称する。
【００７２】
一方、上記上部表示領域および上記下部表示領域は、テレビ１００において、バックライト光源２０２の発光タイミングを制御するにあたり、ちらつき防止よりも表示ボケ防止を優先するために、対応するバックライト光源２０２を、スキャン点灯させる表示領域である。このような表示領域を、以下、「スキャン点灯領域」と称する。
【００７３】
例えば、図２に示す例では、画素行（１）〜（６）を含む上部表示領域が、スキャン点灯領域として設定されている。また、画素行（１３）〜（１８）を含む下部表示領域が、スキャン点灯領域（第１の表示領域）として設定されている。そして、画素行（７）〜（１２）を含む中央部表示領域が、常時点灯領域（第１の表示領域とは垂直走査方向の位置が異なる第２の表示領域）として設定されている。
【００７４】
このように、各表示領域が設定されたことに応じて、発光制御部１１９は、上記表示領域毎に、複数のバックライト光源２０２を、スキャン点灯させるバックライト光源２０２と、常時点灯させるバックライト光源２０２とに分類する。
【００７５】
例えば、図２に示す例では、上記上部表示領域に対応する位置に配置されているバックライト光源２０２Ａ〜Ｃ、および、上記下部表示領域に対応する位置に配置されているバックライト光源２０２Ｇ〜Ｉが、スキャン点灯させるバックライト光源２０２として選択されている。そして、上記中央部表示領域に対応する位置に配置されているバックライト光源２０２Ｄ〜Ｆが、常時点灯させるバックライト光源２０２として選択されている。
【００７６】
（３．バックライト光源の発光制御）
そして、発光制御部１１９は、スキャン点灯させる複数のバックライト光源２０２については、表示パネル１０２において対応する画素行が走査される期間に同期させて、順次発光させる。一方、発光制御部１１９は、常時点灯させる複数のバックライト光源２０２については、表示パネル１０２において全ての画素行が走査されるまで（すなわち、１フレーム期間）、発光させる。
【００７７】
（３．１．上部表示領域に対応するバックライト光源の発光制御）
例えば、表示パネル１０２の上部表示領域には、バックライト光源２０２Ａ〜Ｃが対応しており、このバックライト光源２０２Ａ〜Ｃは、スキャン点灯させるバックライト光源２０２に分類されている。このうち、バックライト光源２０２Ａには、画素行（１）および画素行（２）が割り当てられている。したがって、発光制御部１１９は、画素行（１）が走査される水平走査期間と、画素行（２）が走査される水平走査期間に同期して、バックライト光源２０２Ａを発光させる。同様に、発光制御部１１９は、画素行（３）が走査される水平走査期間と、画素行（４）が走査される水平走査期間に同期して、バックライト光源２０２Ｂを発光させ、画素行（５）が走査される水平走査期間と、画素行（６）が走査される水平走査期間に同期して、バックライト光源２０２Ｃを発光させる。これにより、バックライト光源２０２Ａ〜Ｃは、画素行（１）が走査される水平走査期間〜画素行（６）が走査される水平走査期間に同期して、順次発光することとなる（図３のＶｌ（１）〜（３）を参照）。
【００７８】
（３．２．下部表示領域に対応するバックライト光源の発光制御）
また、表示パネル１０２の下部表示領域には、バックライト光源２０２Ｇ〜Ｉが対応しており、このバックライト光源２０２Ｇ〜Ｉは、スキャン点灯させるバックライト光源２０２に分類されている。このうち、バックライト光源２０２Ｇには、画素行（１３）および画素行（１４）が割り当てられている。したがって、発光制御部１１９は、画素行（１３）が走査される水平走査期間と、画素行（１４）が走査される水平走査期間に同期して、バックライト光源２０２Ｇを発光させる。同様に、発光制御部１１９は、画素行（１５）が走査される水平走査期間と、画素行（１６）が走査される水平走査期間に同期して、バックライト光源２０２Ｈを発光させ、画素行（１７）が走査される水平走査期間と、画素行（１８）が走査される水平走査期間に同期して、バックライト光源２０２Ｉを発光させる。これにより、バックライト光源２０２Ｇ〜Ｉは、画素行（１３）が走査される水平走査期間〜画素行（１８）が走査される水平走査期間に同期して、順次発光することとなる（図３のＶｌ（７）〜（９）を参照）。
【００７９】
（３．３．中央部表示領域に対応するバックライト光源の発光制御）
一方、表示パネル１０２の中央部表示領域には、バックライト光源２０２Ｄ〜Ｆが対応しており、このバックライト光源２０２Ｄ〜Ｆは、常時点灯させるバックライト光源２０２に分類されている。したがって、発光制御部１１９は、画素行（１）〜（１８）が走査される１フレーム期間の間、バックライト光源２０２Ｄ〜Ｆを発光させる。これにより、バックライト光源２０２Ｄ〜Ｆは、画素行（１）が走査される水平走査期間〜画素行（１８）が走査される水平走査期間の間に、常時発光することとなる（図３のＶｌ（４）〜（６）を参照）。
【００８０】
（４．表示領域の変更機能）
ここで、発光制御部１１９は、上記各表示領域の面積を変更することが可能である。以下、図４を参照して、この点について具体的に説明する。図４は、本実施形態に係るテレビ１００における、映像信号のフレーム周波数（横軸）と、表示パネル１０２における中央部表示領域の面積の割合（縦軸）との関係を示す。
【００８１】
例えば、映像信号のフレーム周波数が低くなるにつれ、スキャン点灯させるバックライト光源２０２の各々は、より低速で間欠点灯（点滅）することとなる。このため、スキャン点灯領域（図２の例では、上記上部表示領域および上記下部表示領域）においては、ちらつきが視認され易くなる。
【００８２】
そこで、発光制御部１１９は、図４に示すように、映像信号のフレーム周波数が低くなるにつれ、常時点灯領域（図４の例では、中央部表示領域）の面積を広げる。すなわち、ちらつき防止を優先する表示領域の面積を広げる。そして、発光制御部１１９は、変更後の上記各表示領域に応じて、複数のバックライト光源２０２を、スキャン点灯させるバックライト光源２０２と常時点灯させるバックライト光源２０２とに分類する。
【００８３】
これにより、映像信号のフレーム周波数が低くなったことにより、スキャン点灯領域においてちらつきが視認され易くなったとしても、ちらつきが生じない常時点灯領域の面積が広がるため、表示パネル１０２においては、ちらつき防止効果が高まることとなる。
【００８４】
常時点灯領域の面積を広げる方法は様々である。例えば、既存の常時点灯領域を上方へ広げてもよく、既存の常時点灯領域を下方へ広げてもよい。また、既存の常時点灯領域を上方および下方の双方へ広げてもよい。また、既存の常時点灯領域とは別に（すなわち、連続しない表示領域上に）、新たな常時点灯領域を設けてもよい。
【００８５】
なお、既に説明したとおり、映像信号のフレーム周波数は、映像処理回路１２０が備える映像判別部１２２によって判定され、バックライト駆動回路１１８へ通知される。したがって、発光制御部１１９は、この通知内容から、映像信号のフレーム周波数を特定することができる。
【００８６】
（効果）
このように、本実施形態のテレビ１００によれば、複数のバックライト光源２０２の各々を、対応する画素行の走査期間に同期させて順次点灯させることにより、過去のフレーム画像の残像が視認され難くなるため、画像の表示ボケを防止することができる。
【００８７】
特に、本実施形態のテレビ１００によれば、全てのバックライト光源２０２を上記順次点灯させるのではなく、一部のバックライト光源２０２については、ちらつきが生じないように常時点灯させる。これにより、表示パネル１０２において、ちらつきが視認されることを抑制することができる。特に、ユーザによって視認されやすい表示領域である、表示パネル１０２の中央表示領域に対応するバックライト光源２０２を常時点灯させるため、表示パネル１０２において、ちらつきが視認されることをより抑制することができる。
【００８８】
このように、本実施形態のテレビ１００によれば、表示パネルにおける表示ボケおよびちらつきをともに抑制することができる。
【００８９】
次に、本発明に係る実施形態２について説明する。以下、実施形態２に係るテレビ１００のうち、実施形態１に係るテレビ１００との相違点を説明し、それ以外の点については、実施形態１と同様であるため、説明を省略する。
【００９０】
図５は、実施形態２に係るテレビ１００の概略構成を示すブロック図である。図５に示すように、本実施形態に係るテレビ１００は、図１に示した構成から、さらに表示領域設定回路１３０を備えて構成されている。
【００９１】
表示領域設定回路１３０は、表示パネル１０２の表示領域のうちの、ユーザが指定した領域を、常時点灯領域として設定する。すでに説明したとおり、テレビ１００は、中央部表示領域を、常時点灯領域としている。したがって、表示領域設定回路１３０は、ユーザが指定した中央部表示領域を、常時点灯領域として設定する。
【００９２】
例えば、表示領域設定回路１３０は、上記常時点灯領域の設定をユーザに促すための情報を、表示パネル２に表示させる。この表示に応じて、ユーザは、マウス、キーボード、タッチパネル等の、テレビ１００が備える入力デバイス（図示省略）を用いて、テレビ１００に対して上記常時点灯領域を指定する。そして、表示領域設定回路１３０は、指定された常時点灯領域を示す情報を出力する。例えば、この情報には、上記常時点灯領域の開始行および終了行が示されている。これに限らず、この情報には、上記常時点灯領域の開始行および上記常時点灯領域に含まれる行数等、少なくとも上記常時点灯領域が特定可能な情報が示されていてもよい。
【００９３】
表示領域設定回路１３０から出力された上記情報は、バックライト駆動回路１１８へ入力される。バックライト駆動回路１１８の発光制御手段１１９は、入力された上記情報に基づいて、表示パネル１０２における中央部表示領域（すなわち、常時点灯領域）を特定する。
【００９４】
そして、発光制御手段１１９は、特定した中央部表示領域よりも上部の表示領域を上部表示領域として特定し、特定した中央部表示領域よりも下部の表示領域を下部表示領域として特定する。
【００９５】
その後、発光制御手段１１９は、実施形態１と同様に、上部表示領域および下部表示領域に対応するバックライト光源２０２をスキャン点灯させるバックライト光源２０２に分類し、中央部表示領域に対応するバックライト光源２０２を常時点灯させるバックライト光源２０２に分類したうえで、各バックライト光源２０２の発光を制御する。
【００９６】
なお、ユーザによって指定された常時点灯領域は、実施形態１と同様に、映像信号のフレーム周波数に応じて動的に変更されてもよい。また、上記常時点灯領域は、ユーザが任意のタイミングで再設定できるようにしてもよい。また、ユーザによって上記常時点灯領域が指定されなかった場合、発光制御手段１１９は、予めテレビ１００に設定されている常時点灯領域を用いてもよい。
【００９７】
次に、本発明に係る実施形態３について説明する。この実施形態３では、スキャン点灯領域および常時点灯領域の配置が、実施形態１と異なる例について説明する。以下、実施形態３に係るテレビ１００のうち、実施形態１に係るテレビ１００との相違点を説明し、それ以外の点については、実施形態１と同様であるため、説明を省略する。
【００９８】
図６は、実施形態３に係るテレビ１００の表示パネル１０２における、各種表示領域の配置を示す。図７は、実施形態３に係るテレビ１００における、バックライト光源２０２の発光タイミングを示すタイミングチャートである。
【００９９】
図６に示すように、本実施形態のテレビ１００においては、表示パネル１０２の表示領域は、２つの画素行毎に、スキャン点灯領域および常時点灯領域が交互に配置されて構成されている。
【０１００】
例えば、図６に示す例では、画素行（１），（２）を含む表示領域、画素行（５），（６）を含む表示領域、画素行（９），（１０）を含む表示領域、画素行（１３），（１４）を含む表示領域、および、画素行（１７），（１８）を含む表示領域の各々が、スキャン点灯領域として設定されている。これに対し、画素行（３），（４）を含む表示領域、画素行（７），（８）を含む表示領域、画素行（１１），（１２）を含む表示領域、および、画素行（１５），（１６）を含む表示領域の各々が、常時点灯領域として設定されている。
【０１０１】
このように、各表示領域が設定されたことに応じて、発光制御部１１９は、上記表示領域毎に、複数のバックライト光源２０２を、スキャン点灯させるバックライト光源２０２と常時点灯させるバックライト光源２０２とに分類する。
【０１０２】
例えば、図６に示す例では、各スキャン点灯領域に対応する位置に配置されているバックライト光源２０２Ａ，Ｃ，Ｅ，Ｇ，Ｉが、スキャン点灯させるバックライト光源２０２として分類されている。そして、各常時点灯領域に対応する位置に配置されているバックライト光源２０２Ｂ，Ｄ，Ｆ，Ｈが、常時点灯させるバックライト光源２０２として分類されている。
【０１０３】
（バックライト光源の発光制御）
実施形態３に係るテレビ１００においては、各バックライト光源２０２の発光タイミングは、図７に示すとおりとなる。
【０１０４】
（スキャン点灯領域に対応するバックライト光源の発光制御）
例えば、各スキャン点灯領域には、バックライト光源２０２Ａ，Ｃ，Ｅ，Ｇ，Ｉが対応しており、このバックライト光源２０２Ａ，Ｃ，Ｅ，Ｇ，Ｉは、スキャン点灯させるバックライト光源２０２に分類されている。
【０１０５】
このうち、バックライト光源２０２Ａには、画素行（１）および画素行（２）が割り当てられている。したがって、発光制御部１１９は、画素行（１）が走査される水平走査期間と、画素行（２）が走査される水平走査期間に同期して、バックライト光源２０２Ａを発光させる。
【０１０６】
同様に、発光制御部１１９は、画素行（５）が走査される水平走査期間と、画素行（６）が走査される水平走査期間に同期して、バックライト光源２０２Ｃを発光させ、画素行（９）が走査される水平走査期間と、画素行（１０）が走査される水平走査期間に同期して、バックライト光源２０２Ｅを発光させる。
【０１０７】
さらに、発光制御部１１９は、画素行（１３）が走査される水平走査期間と、画素行（１４）が走査される水平走査期間に同期して、バックライト光源２０２Ｇを発光させ、画素行（１７）が走査される水平走査期間と、画素行（１８）が走査される水平走査期間に同期して、バックライト光源２０２Ｉを発光させる。（図７のＶｌ（１），（３），（５），（７），（９）を参照）。
【０１０８】
（常時点灯領域に対応するバックライト光源の発光制御）
一方、各常時点灯領域には、バックライト光源２０２Ｂ，Ｄ，Ｆ，Ｈが対応しており、このバックライト光源２０２Ｂ，Ｄ，Ｆ，Ｈは、常時点灯させるバックライト光源２０２に分類されている。
【０１０９】
したがって、発光制御部１１９は、画素行（１）〜（１８）が走査される１フレーム期間の間、バックライト光源２０２Ｂ，Ｄ，Ｆ，Ｈを発光させる。これにより、バックライト光源２０２Ｂ，Ｄ，Ｆ，Ｈは、画素行（１）が走査される水平走査期間〜画素行（１８）が走査される水平走査期間の間に、常時発光することとなる（図７のＶｌ（２），（４），（６），（８）を参照）。
【０１１０】
（効果）
このように、本実施形態のテレビ１００によれば、表示ボケが生じ難いがちらつきが生じ易くなるスキャン点灯領域と、表示ボケが生じ易くなる常時点灯領域とを交互に配置したことにより、表示ボケおよびちらつきを表示パネル１０２の全面に分散することができ、したがって、表示ボケおよびちらつきを視認され難くすることができる。
【０１１１】
次に、本発明に係る実施形態４について説明する。この実施形態４では、スキャン点灯領域および常時点灯領域の配置が、実施形態１と異なる例について説明する。以下、実施形態４に係るテレビ１００のうち、実施形態１に係るテレビ１００との相違点を説明し、それ以外の点については、実施形態１と同様であるため、説明を省略する。
【０１１２】
図８は、実施形態４に係るテレビ１００の表示パネル１０２における、各種表示領域の配置を示す。図９は、実施形態４に係るテレビ１００における、バックライト光源２０２の発光タイミングを示すタイミングチャートである。
【０１１３】
図８に示すように、本実施形態のテレビ１００においては、表示パネル１０２の表示領域のうちの、テロップ映像等、表示ボケが生じ易い映像が表示される表示領域が、スキャン点灯領域として設定されている。
【０１１４】
例えば、図８に示す例では、画素行（１５）〜（１８）を含む表示領域が、スキャン点灯領域として設定されている。これに対し、画素行（１）〜（１４）を含む表示領域が、常時点灯領域として設定されている。
【０１１５】
本実施形態では、映像処理回路１２０の映像判別部１２２によって、映像処理回路１２０に入力された映像信号から、上記スキャン点灯領域が自動的に特定されている。例えば、映像判別部１２２は、複数のフレーム画像に基づいて、各オブジェクト（例えば、文字や人物等）の単位時間あたりの移動量を算出する。そして、映像判別部１２２は、算出された移動量が予め定められた閾値以上となるオブジェクトを、表示ボケが生じ易い映像として特定する。そして、映像判別部１２２は、そのオブジェクトが表示されている領域を、画素行単位で、スキャン点灯領域として特定する。
【０１１６】
ここで、上記閾値は、例えば、映像処理回路１２０が備えるメモリ等に予め記憶されている。上記閾値は、映像信号のフレーム周波数毎に設定されていることが好ましい。映像信号のフレーム周波数によって、表示ボケの生じ易さの度合いが異なるからである。例えば、映像信号のフレーム周波数が高くなるほど、表示ボケが生じ易くなるため、上記閾値を小さくしてもよい。
【０１１７】
そして、映像判別部１２２は、特定されたスキャン点灯領域を発光制御部１１９へ通知する。これにより、発光制御部１１９は、表示ボケが生じ易い映像が表示される表示領域をスキャン点灯領域として設定し、その他の領域を常時点灯領域として設定することが可能となっている。
【０１１８】
このように、各表示領域が設定されたことに応じて、発光制御部１１９は、上記表示領域毎に、複数のバックライト光源２０２を、スキャン点灯させるバックライト光源２０２と常時点灯させるバックライト光源２０２とに分類する。
【０１１９】
例えば、図８に示す例では、上記スキャン点灯領域に対応する位置に配置されているバックライト光源２０２Ｈ，Ｉが、スキャン点灯させるバックライト光源２０２に分類されている。そして、上記常時点灯領域に対応する位置に配置されているバックライト光源２０２Ａ〜Ｇが、常時点灯させるバックライト光源２０２に分類されている。
【０１２０】
（バックライト光源の発光制御）
実施形態４に係るテレビ１００においては、各バックライト光源２０２の発光タイミングは、図９に示すとおりとなる。
【０１２１】
（スキャン点灯領域に対応するバックライト光源の発光制御）
例えば、スキャン点灯領域には、バックライト光源２０２Ｈ，Ｉが対応しており、このバックライト光源２０２Ｈ，Ｉは、スキャン点灯させるバックライト光源２０２に分類されている。
【０１２２】
このうち、バックライト光源２０２Ｈには、画素行（１５）および画素行（１６）が割り当てられている。したがって、発光制御部１１９は、画素行（１５）が走査される水平走査期間と、画素行（１６）が走査される水平走査期間に同期して、バックライト光源２０２Ｈを発光させる。同様に、発光制御部１１９は、画素行（１７）が走査される水平走査期間と、画素行（１８）が走査される水平走査期間に同期して、バックライト光源２０２Ｉを発光させる（図９のＶｌ（８），（９）を参照）。
【０１２３】
（常時点灯領域に対応するバックライト光源の発光制御）
一方、常時点灯領域には、バックライト光源２０２Ａ〜Ｇが対応しており、このバックライト光源２０２Ａ〜Ｇは、常時点灯させるバックライト光源２０２に分類されている。
【０１２４】
したがって、発光制御部１１９は、画素行（１）〜（１８）が走査される１フレーム期間の間、バックライト光源２０２Ａ〜Ｇを発光させる。これにより、バックライト光源２０２Ａ〜Ｇは、画素行（１）が走査される水平走査期間〜画素行（１８）が走査される水平走査期間に同期して、常時発光することとなる（図９のＶｌ（１）〜（７）を参照）。
【０１２５】
（効果）
このように、本実施形態のテレビ１００によれば、表示ボケが生じ易い表示領域を自動的に識別し、この表示領域のみスキャン点灯を行い表示ボケを抑制することができる。すなわち、スキャン点灯を採用したことによりちらつきが生じ易くなってしまう表示領域を最小限とすることができる。したがって、表示ボケおよびちらつきをより効率的に抑制することができる。
【０１２６】
次に、本発明に係る実施形態１について説明する。以下、実施形態５に係るテレビ１００のうち、実施形態４に係るテレビ１００との相違点を説明し、それ以外の点については、実施形態４と同様であるため、説明を省略する。
【０１２７】
図１０は、実施形態５に係るテレビ１００の概略構成を示すブロック図である。図５に示すように、本実施形態に係るテレビ１００は、実施形態４に係るテレビ１００の構成（図１参照）から、さらに表示領域設定回路１３２を備えて構成されている。
【０１２８】
表示領域設定回路１３２は、表示パネル１０２の表示領域のうちの、表示ボケが生じ易い表示領域を、スキャン点灯領域として設定する。例えば、表示領域設定回路１３２は、上記スキャン点灯領域の設定をユーザに促すための情報を、表示パネル２に表示させる。この表示に応じて、ユーザは、マウス、キーボード、タッチパネル等の、テレビ１００が備える入力デバイス（図示省略）を用いて、テレビ１００に対して上記スキャン点灯領域を指定する。そして、表示領域設定回路１３２は、指定されたスキャン点灯領域を示す情報を出力する。例えば、この情報には、上記スキャン点灯領域の開始行および終了行が示されている。これに限らず、この情報には、上記スキャン点灯領域の開始行および上記スキャン点灯領域に含まれる行数等、少なくとも上記スキャン点灯領域が特定可能な情報が示されていてもよい。
【０１２９】
表示領域設定回路１３２から出力された上記情報は、バックライト駆動回路１１８へ入力される。バックライト駆動回路１１８の発光制御手段１１９は、入力された上記情報に基づいて、表示パネル１０２における上記スキャン点灯領域を特定する。そして、発光制御手段１１９は、上記スキャン点灯領域以外の表示領域を常時点灯領域として特定する。
【０１３０】
その後、発光制御手段１１９は、実施形態４と同様に、上部スキャン点灯領域に対応するバックライト光源２０２をスキャン点灯させるバックライト光源２０２に分類し、上記常時点灯領域に対応するバックライト光源２０２を常時点灯させるバックライト光源２０２に分類したうえで、各バックライト光源２０２の発光を制御する。
【０１３１】
なお、ユーザによって指定されたスキャン点灯領域は、固定されてもよく、実施形態１と同様に、映像信号のフレーム周波数に応じて動的に変更されてもよい。また、上記スキャン点灯領域は、ユーザが任意のタイミングで再設定できるようにしてもよい。また、ユーザによって上記スキャン点灯領域が指定されなかった場合、発光制御手段１１９は、予めテレビ１００に設定されている上記スキャン点灯領域を用いてもよい。
【０１３２】
次に、本発明に係る実施形態６について説明する。以下に説明する発光制御手段１１９の機能は、実施形態１〜５のいずれにも適用することが可能である。したがって、以下に説明する発光制御手段１１９の機能を、実施形態１〜５のいずれに組み合わせたとしても、本実施形態６が実現され得る。
【０１３３】
実施形態６の発光制御手段１１９は、複数のバックライト光源２０２のうち、常時点灯領域に対応する複数のバックライト光源２０２（すなわち、常時点灯させるバックライト光源２０２）の各々を、表示パネル１０２におけるフレーム期間の間、間欠的に発光（すなわち、点滅）させる。
【０１３４】
特に、実施形態６では、常時点灯させるバックライト光源２０２の点滅周波数を、６０Ｈｚ以上としている。その理由は、上記点滅周波数を概ね６０Ｈｚ以上とすることにより、ユーザにとってちらつきが視認されにくいからである。
【０１３５】
図１１は、実施形態６に係るテレビ１００における、バックライト光源２０２の発光タイミングを示すタイミングチャートである。実施形態１（図３）では、常時点灯領域に含まれる画素行（４）〜（６）に対応するバックライト光源２０２Ｄ〜Ｆは、常時点灯するように制御されるが、実施形態６（図１１）では、上記バックライト光源２０２Ｄ〜Ｆが、間欠点灯するように制御される（図３のＶｌ（４）〜（６）および図１１のＶｌ（４）〜（６）参照）。
【０１３６】
特に、図１１に示す例では、１フレーム期間の間に、バックライト光源２０２Ｄ〜Ｆは、３回ずつ点灯するように制御される。したがって、例えば、映像信号のフレーム周波数が６０Ｈｚの場合、バックライト光源２０２Ｄ〜Ｆの点滅周波数は１８０Ｈｚとなる。すなわち、映像信号のフレーム周波数が６０Ｈｚの場合、バックライト光源２０２Ｄ〜Ｆの点滅周波数を６０Ｈｚ以上とする場合には、バックライト光源２０２Ｄ〜Ｆを、１フレーム期間に少なくとも１回ずつ点灯させればよい。
（効果）
本実施形態６のテレビ１００によれば、常時点灯領域についても、対応するバックライト光源２０２を点滅させることにより、表示ボケを抑制することができる。但し、その点滅周波数を６０Ｈｚ以上としているために、常時点灯領域において、ちらつきが視認されることはない。したがって、本実施形態のテレビ１００によれば、表示パネルにおけるちらつきを増加させることなく、表示ボケをより抑制することができる。特に、本実施形態のテレビ１００によれば、常時点灯領域のバックライト光源２０２を点滅させることにより、表示ボケの抑制効果を広範囲なものとすることができるうえ、バックライトユニット１０４の消費電力を抑制することができる。
【０１３７】
次に、本発明に係る実施形態７について説明する。以下に説明する発光制御手段１１９の機能は、実施形態１〜６のいずれにも適用することが可能である。したがって、以下に説明する発光制御手段１１９の機能を、実施形態１〜６のいずれに組み合わせたとしても、本実施形態７が実現され得る。
【０１３８】
実施形態７の発光制御手段１１９は、スキャン点灯領域に対応するバックライト光源２０２の発光量と、常時点灯領域に対応するバックライト光源２０２の発光量とを、それぞれ個別に制御可能である。これにより、テレビ１００は、例えば、バックライト光源２０２の点灯方式の違いにより、スキャン点灯領域と常時点灯領域とで明るさが異なってしまう場合であっても、少なくとも何れか一方の発光量を調整することにより、両者の明るさを均一にすることができる。
【０１３９】
例えば、発光制御手段１１９は、上記両バックライト光源２０２の各々について、供給する電流量を制御することにより、上記両バックライト光源２０２の各々の発光量を制御することができる。
【０１４０】
または、発光制御手段１１９は、上記両バックライト光源２０２の各々について、発光する発光素子の数を制御することによっても、上記両バックライト光源２０２の各々の発光量を制御することができる。
【０１４１】
以下、図１２および図１３を参照して、発光制御手段１１９による、バックライト光源２０２の発光量の制御の一例を説明する。図１２は、実施形態７に係るテレビ１００における、各表示領域の発光量および供給電流を示す。図１３は、実施形態７に係るテレビ１００における、各表示領域の発光量および発光素子数を示す。
【０１４２】
この例では、実施形態１（図２）と同様に、表示パネル１０２の表示領域には、上部表示領域、中央部表示領域、下部表示領域が含まれていることとする。また、上部表示領域および下部表示領域がスキャン点灯領域として設定されており、中央部表示領域が常時点灯領域として設定されていることとする。
【０１４３】
図１２は、バックライト光源２０２に供給する電流量を制御することにより、各バックライト光源２０２の発光量を制御する場合の、各種設定値を示す。
【０１４４】
図１２に示すように、スキャン点灯領域については、各バックライト光源２０２の発光量が「Ａ」となるように、各バックライト光源２０２に対して、バックライト駆動回路１１８から電流量「ａ」の電流が供給される。一方、常時点灯領域については、各バックライト光源２０２の発光量が「Ｂ」となるように、各バックライト光源２０２に対して、バックライト駆動回路１１８から電流量「ｂ」の電流が供給される。
【０１４５】
ここで、本実施形態７の発光制御手段１１９は、電流量「ａ」および「ｂ」に任意の値を設定することができ、これにより、発光量「Ａ」および「Ｂ」を任意の値に設定することができる。例えば、発光制御手段１１９は、表示パネル１０２の明るさが均一となるように、発光量「Ａ」と「Ｂ」とを異ならせることができる。
【０１４６】
例えば、発光量「Ａ」と「Ｂ」とを同一とした場合に、常時点灯領域よりもスキャン点灯領域のほうが暗くなる場合、発光制御手段１１９は、発光量「Ａ」を発光量「Ｂ」よりも大きくすることにより、両領域の明るさを等しくすることができる。
【０１４７】
反対に、発光量「Ａ」と「Ｂ」とを同一とした場合に、常時点灯領域よりもスキャン点灯領域のほうが明るくなる場合、発光制御手段１１９は、発光量「Ａ」を発光量「Ｂ」よりも小さくすることにより、両領域の明るさを等しくすることができる。
【０１４８】
図１３は、バックライト光源２０２が発光する発光素子の数を制御することにより、各バックライト光源２０２の発光量を制御する場合の、各種設定値を示す。
【０１４９】
図１３に示すように、スキャン点灯領域については、各バックライト光源２０２の発光量が「Ａ」となるように、各バックライト光源２０２に対して、「ｘ」個の発光素子を発光させる。一方、常時点灯領域については、各バックライト光源２０２の発光量が「Ｂ」となるように、各バックライト光源２０２に対して、「ｙ」個の発光素子を発光させる。
【０１５０】
ここで、本実施形態７の発光制御手段１１９は、発光素子数「ｘ」および「ｙ」に任意の値を設定することができ、これにより、発光量「Ａ」および「Ｂ」を任意の値に設定することができる。例えば、発光制御手段１１９は、表示パネル１０２の明るさが均一となるように、発光量「Ａ」と「Ｂ」とを異ならせることができる。
【０１５１】
例えば、発光量「Ａ」と「Ｂ」とを同一とした場合に、常時点灯領域よりもスキャン点灯領域のほうが暗くなる場合、発光制御手段１１９は、発光素子数「ｘ」を発光素子数「ｙ」よりも多くすることにより、両領域の明るさを等しくすることができる。
【０１５２】
反対に、発光量「Ａ」と「Ｂ」とを同一とした場合に、常時点灯領域よりもスキャン点灯領域のほうが明るくなる場合、発光制御手段１１９は、発光素子数「ｘ」を発光素子数「ｙ」よりも少なくすることにより、両領域の明るさを等しくすることができる。
【０１５３】
例えば、図１２および図１３に示す各設定値は、バックライト駆動回路１１８に設けられたメモリ等に記憶され、発光制御手段１１９によって読み出される。上記各設定値は、製品出荷時に予め設定されていてもよい。また、上記各設定値は、製品出荷後に、ユーザによって調整可能であってもよい。
【０１５４】
また、上記各設定値は、発光制御手段１１９によって、自動的に適切な値となるように調整されてもよい。例えば、上記各設定値は、表示パネル１０２の明るさが規定の明るさとなるように、発光制御手段１１９によって、自動的に調整されてもよい。また、上記各設定値は、表示パネル１０２の明るさが均一となるように、発光制御手段１１９によって、自動的に調整されてもよい。また、発光制御手段１１９は、表示パネル１０２の明るさの変動要因となる各種パラメータ（例えば、映像信号のフレーム周波数、各表示領域の面積、バックライト光源の点滅周期等）に応じて、上記各設定値を自動的に調整してもよい。
（効果）
本実施形態７のテレビ１００によれば、実施形態１〜６と同様の効果（表示ボケ抑制効果、ちらつき防止効果等）を奏することを可能としつつ、さらに、表示パネル１０２の明るさを柔軟に制御することができる。例えば、上記したように、表示パネル１０２の明るさを均一にすることにより、表示パネル１０２の輝度ムラを抑制することもできる。
【０１５５】
（表示パネル１０２の画素）
次に、上記各実施形態に係るテレビ１００が備える表示パネル１０２の画素について説明する。
【０１５６】
上記各実施形態のテレビ１００においては、表示パネル１０２が備える複数の画素の各々のＴＦＴとして、いわゆる酸化物半導体を用いたＴＦＴを採用しており、特に、上記酸化物半導体として、インジウム（Ｉｎ）、ガリウム（Ｇａ）、および亜鉛（Ｚｎ）から構成される酸化物である、いわゆるＩＧＺＯ（ＩｎＧａＺｎＯｘ）が用いられているＴＦＴを採用している。以下、酸化物半導体を用いたＴＦＴの優位性を説明する。
【０１５７】
（ＴＦＴ特性）
図１４は、酸化物半導体を用いたＴＦＴを含む、各種ＴＦＴの特性を示す図である。この図１４では、酸化物半導体を用いたＴＦＴ、ａ−Ｓｉ（amorphous silicon）を用いたＴＦＴ、およびＬＴＰＳ（Low Temperature Poly Silicon）を用いたＴＦＴの各々の特性を示す。
【０１５８】
図１４において、横軸（Ｖｇｈ）は、上記各ＴＦＴにおいてゲートに供給されるＯＮ電圧の電圧値を示し、縦軸（Ｉｄ）は、上記各ＴＦＴにおけるソース−ドレイン間の電流量を示す。
【０１５９】
特に、図中において「ＴＦＴ−ｏｎ」と示されている期間は、ＯＮ電圧の電圧値に応じてＯＮ状態となっている期間を示し、図中において「ＴＦＴ−ｏｆｆ」と示されている期間は、ＯＮ電圧の電圧値に応じてＯＦＦ状態となっている期間を示す。
【０１６０】
図１４に示すように、酸化物半導体を用いたＴＦＴは、ａ−Ｓｉを用いたＴＦＴよりも、ＯＮ状態の時の電子移動度が高い。
【０１６１】
図示は省略するが、具体的には、ａ−Ｓｉを用いたＴＦＴは、そのＴＦＴ−ｏｎ時のＩｄ電流が１ｕＡであるのに対し、、酸化物半導体を用いたＴＦＴは、そのＴＦＴ−ｏｎ時のＩｄ電流が２０〜５０ｕＡ程度である。
【０１６２】
このことから、酸化物半導体を用いたＴＦＴは、ａ−Ｓｉを用いたＴＦＴよりも、ＯＮ状態の時の電子移動度が２０〜５０倍程度高く、ＯＮ特性が非常に優れていることが分かる。
【０１６３】
また、図１４に示すように、酸化物半導体を用いたＴＦＴは、ＯＦＦ状態のときのリーク電流が、ａ−Ｓｉを用いたＴＦＴよりも少ない。
【０１６４】
図示は省略するが、具体的には、ａ−Ｓｉを用いたＴＦＴは、そのＴＦＴ−ｏｆｆ時のＩｄ電流が１０ｐＡであるのに対し、酸化物半導体を用いたＴＦＴは、そのＴＦＴ−ｏｆｆ時のＩｄ電流が０．１ｐＡ程度である。
【０１６５】
このことから、酸化物半導体を用いたＴＦＴは、ＯＦＦ状態のときのリーク電流が、ａ−Ｓｉを用いたＴＦＴの１／１００程度であり、リーク電流が殆ど生じない、ＯＦＦ特性が非常に優れたものであることが分かる。
【０１６６】
上記各実施形態のテレビ１００は、このような酸化物半導体（特に、ＩＧＺＯ）を用いたＴＦＴを各画素に採用している。
【０１６７】
これにより、上記各実施形態のテレビ１００は、各画素のＴＦＴのＯＮ特性が優れたものとなるために、より小型のＴＦＴで画素を駆動することができるので、各画素において、ＴＦＴが占める面積の割り合いを小さくすることができる。すなわち、各画素における開口率を高め、バックライト光の透過率を高めることができる。その結果、消費電力が少ないバックライトを採用したり、バックライトの輝度を抑制したりすることができるので、消費電力を低減することができる。
【０１６８】
また、上記各実施形態のテレビ１００は、各画素のＴＦＴのＯＮ特性が優れたものとなるために、各画素に対するソース信号の書き込み時間をより短時間化することもできるので、表示パネル１０２のリフレッシュレートを容易に高くすることができる。
【０１６９】
さらに、上記各実施形態のテレビ１００は、各画素のＴＦＴのＯＦＦ特性が優れたものとなるために、表示パネルの複数の画素の各々のソース信号が書き込まれている状態を長期間維持することができるので、高い表示画質を維持しつつ、表示パネル１０２のリフレッシュレートを容易に低くすることができるのである。
【０１７０】
すなわち、上記各実施形態のテレビ１００は、酸化物半導体（特に、ＩＧＺＯ）を用いたＴＦＴを各画素に採用したことにより、表示ボケの生じ易い高いリフレッシュレートでの動作や、ちらつきの生じ易い低いリフレッシュレートでの動作を、容易に実現することが可能となっている。したがって、上記各実施形態のテレビ１００においては、上記各実施形態で説明した構成が特に有用である。そして、上記各実施形態のテレビ１００は、上記構成を採用したことにより、より高い効果を奏することができる。
【０１７１】
（補足説明）
以上、本発明の実施形態について説明したが、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１７２】
例えば、実施形態では、テレビジョン受像機に本発明を適用する例を説明したが、本発明は、電子書籍端末、スマートフォン、携帯電話、ＰＤＡ、タブレット端末、ラップトップ型パーソナルコンピュータ、携帯ゲーム機、カーナビゲーション装置、各種家電製品等、表示装置としての機能を備える様々な装置や、このような装置に搭載されるバックライト駆動回路等に適用することが可能である。
【０１７３】
また、実施形態では、酸化物半導体（特に、ＩＧＺＯ）を用いたＴＦＴを各画素に採用している表示装置へ本発明を適用する例を説明したが、これに限らず、ａ−Ｓｉを用いたＴＦＴや、ＬＴＰＳを用いたＴＦＴ等の、他のＴＦＴを各画素に採用している表示装置にも、本発明を適用することができる。
【０１７４】
また、各実施形態では、バックライト光源の発光タイミングと、対応する画素行の走査タイミングとを同じタイミングとしているが、これに限らない。例えば、本発明を実施するにあたり、対応する画素行の液晶応答時間等を考慮して、バックライト光源の発光タイミングを、対応する画素行の走査タイミングとずらすようにしてもよい。
【０１７５】
また、各実施形態で説明した各表示領域（スキャン点灯領域および常時点灯領域）の数および配置は、単なる一例にしか過ぎない。したがって、本発明を実施するにあたり、各表示領域の数および配置は、どのようなものであってもよい。
【０１７６】
また、各実施形態で説明したバックライト光源の数および配置は、単なる一例にしか過ぎない。したがって、本発明を実施するにあたり、バックライト光源の数および配置は、どのようなものであってもよい。
【０１７７】
また、各実施形態では、バックライト駆動回路１１８がディスプレイ駆動回路１１０に設けられている例を説明したが、これに限らず、バックライト駆動回路１１８は、ディスプレイ駆動回路１１０の外部に設けられていてもよい。
【０１７８】
また、各実施形態では、映像処理回路１２０がディスプレイ駆動回路１１０の外部に設けられている例を説明したが、これに限らず、映像処理回路１２０は、ディスプレイ駆動回路１１０に設けられていてもよい。
【０１７９】
また、各実施形態では、映像判別部１２２が映像処理回路１２０に設けられている例を説明したが、これに限らず、映像判別部１２２は、映像処理回路１２０の外部に設けられていてもよい。例えば、映像処理回路１２０は、ディスプレイ駆動回路１１０に設けられていてもよく、特に、バックライト駆動回路１１８に設けられていてもよい。
【産業上の利用可能性】
【０１８０】
本発明に係るバックライト駆動装置および表示装置は、複数のバックライト光源を備えるバックライト装置、このようなバックライト装置を備える表示装置、およびこのようなバックライト装置を駆動するためのバックライト駆動装置に利用可能である。
【符号の説明】
【０１８１】
１００      表示装置
１０２      表示パネル
１０４      バックライトユニット（バックライト装置）
１１０      ディスプレイ駆動回路
１１２      タイミングコントローラ
１１４      走査線駆動回路
１１６      信号線駆動回路
１１８      バックライト駆動回路（駆動装置）
１１９      発光制御部（発光制御手段）
１２０      映像処理回路
１２２      映像判別部（映像判別手段）
１３０      表示領域設定回路
１３２      表示領域設定回路
【図１】
0005873734.tif 000002
【図２】
0005873734.tif 000003
【図３】
0005873734.tif 000004
【図４】
0005873734.tif 000005
【図５】
0005873734.tif 000006
【図６】
0005873734.tif 000007
【図７】
0005873734.tif 000008
【図８】
0005873734.tif 000009
【図９】
0005873734.tif 000010
【図１０】
0005873734.tif 000011
【図１１】
0005873734.tif 000012
【図１２】
0005873734.tif 000013
【図１３】
0005873734.tif 000014
【図１４】
0005873734.tif 000015